(57)【要約】【課題】半嵌合部位での風洩れを防ぐことのできるケースの嵌合保持部構造を提供する。【解決手段】上下ケース１、２の両結合端面１ａ、２ａ同士が接合しても嵌合凹凸溝１２、１３の内側略半分だけ嵌り合って半嵌合となる範囲は、その半嵌合部と係止部との間にシール凸部１４を形成する。  これにより、嵌合凹凸溝１２、１３内の隙間を伝う風が嵌合凹溝壁の途切れた半嵌合部位から洩れ出す風洩れを、シール凸部１４でシールさせることによって防ぐことができる。また、本対策では容易にシール形状を見出すことができるため、複雑な嵌合形状をチューニングすることによるトライ数の増大や調整期間の増大をなくすことができるうえ、別部品によるシール構造を構成する必要もなく、コストを抑えることができる。また、本発明においては半嵌合部と係止部との間にシール凸部１４を設けるため、ケース嵌合や係止部の係止がしづらくなるという問題点もない。【選択図】図３
2008024231.tif 000002
【特許請求の範囲】
【請求項１】
第１の開口端周縁に形成された第１結合端面（１ａ）と、前記第１の開口端周縁に形成され嵌合凹凸溝（１２、１３）を構成する凹部または凸部の一方とを有して樹脂にて形成された第１の分割箱体（１）と、
前記第１結合端面（１ａ）に対応して第２の開口端周縁に形成された第２結合端面（２ａ）と、前記第２の開口端周縁に形成され前記嵌合凹凸溝（１２、１３）を構成する凹部または凸部の他方とを有して樹脂にて形成された第２の分割箱体（２）とからなるケースであり、
前記第１の分割箱体（１）の開口端の外周縁に設けられた係止突起（２０）と、前記第２の分割箱体（２）の開口端の外周縁に設けられ前記係止突起（２０）と係止可能な係止枠（１０）とからなる前記ケースの嵌合保持部（Ｋ２）において、
前記第１、第２の分割箱体（１、２）の前記第１、第２結合端面（１ａ、２ａ）同士が接合しても前記嵌合凹凸溝（１２、１３）の内側略半分だけ嵌り合って半嵌合となる範囲は、その半嵌合部と、前記係止枠（１０）と前記係止突起（２０）とからなる係止部との間にシール凸部（１４）を形成したことを特徴とするケースの嵌合保持部構造。
【請求項２】
前記第１、第２の分割箱体（１、２）の内外方向で前記係止枠部（１０）と前記係止突起部（２０）とが対向する壁部間に、前記シール凸部（１４）としての膨出部（１４ａ、１４ｂ）を形成したことを特徴とする請求項１に記載のケースの嵌合保持部構造。
【請求項３】
前記第１、第２の分割箱体（１、２）が嵌合された際に前記膨出部（１４ａ、１４ｂ）と他方の前記第１、第２の分割箱体（１、２）とが当接する部分に面取り部（Ｃ）を設けたことを特徴とする請求項２に記載のケースの嵌合保持部構造。
【請求項４】
前記第１、第２の分割箱体（１、２）の内外方向で前記係止枠部（１０）と前記係止突起部（２０）とが対向する壁部間に、前記嵌合凹凸溝（１２、１３）と略平行に前記シール凸部（１４）としてのシールリブ（１４ｃ、１４ｄ）を形成したことを特徴とする請求項１に記載のケースの嵌合保持部構造。
【請求項５】
前記半嵌合部と前記係止部との間で前記第１、第２の分割箱体（１、２）の嵌合方向で対向する壁部間に、前記嵌合凹凸溝（１２、１３）と略平行に前記シール凸部（１４）としての膨出部（１４ｅ）を形成したことを特徴とする請求項１に記載のケースの嵌合保持部構造。
【請求項６】
前記半嵌合部と前記係止部との間で前記第１、第２の分割箱体（１、２）の嵌合方向で対向する壁部間に、前記嵌合凹凸溝（１２、１３）と略平行に前記シール凸部（１４）としてのシールリブ（１４ｆ）を形成したことを特徴とする請求項１に記載のケースの嵌合保持部構造。
【発明の詳細な説明】
【技術分野】
【０００１】
本発明は、複数に分割された箱体を嵌合して構成されるケースの両側嵌合部に一体で形成された係止枠と係止突起とを用いて係止する嵌合保持部の構造に関するものであり、特に、半嵌合となる部分の風洩れ防止に関するものであり、例えば車両用空調装置のケースに適用して好適なものである。
【背景技術】
【０００２】
従来、車両用空調装置における送風機ユニットや空調ユニットなどのケースは、通常、複数に分割されたケース（分割箱体）を嵌合させて構成している。そして、この分割ケースの嵌合保持部として、種々のものが考案されて実用化されている。例えば、いずれも図示を省略するが、２つの樹脂製ケースの結合端面両側に外方へ突出した締結部を一体成形し、この締結部を締結手段としてのタッピングスクリュを用いて螺子締めにて一体に結合して嵌合を保持するものがある。
【０００３】
また、締結手段として上記タッピングスクリュの代わりに弾性を有する金属製でＣ型形状のクリップを用い、２つの樹脂製ケースの結合端面両側に外方へ突出した係止部を一体成形し、その係止部に先のクリップを嵌めて一体に結合させて嵌合を保持するものもある。
【０００４】
また、車両や他の部品との間でスペースがあまり取れない場合などは、上記したタッピングスクリュやＣ型クリップのような別体の締結部品を用いずに、ケースに係止手段を一体成形したもので、一方のケースに係止爪形状を持った係止突起を一体成形すると共に、他方のケースにこの係止突起を受入れて係止する係止枠を一体成形し、この両者の嵌合係止によりケースを一体に結合して嵌合を保持するものもある。
【０００５】
図１０は、嵌合保持部として通常の係止部Ｋ１の構造を示す部分斜視図であり、（ａ）は嵌合前、（ｂ）は嵌合後である。上記した係止部では、係止突起を他方のケース側へ延長して形成しているが、この例は係止枠１０を他方のケース側へ延長して形成したものである。なお、図中の１２、１３は、ケース嵌合部に設けられた嵌合凹凸溝である。
【０００６】
また、このような係止による嵌合保持部の従来技術としては、下記特許文献１に示されるものなどがある。下記特許文献１は、ケース嵌合後の嵌合面に隙間が生じないようにしたものである。なお、図１０中で説明していない符号は、後述の本発明の実施形態中で説明する符号と対応しており、ここでの説明は省略する。
【特許文献１】実開平５−４９４１６号公報
【発明の開示】
【発明が解決しようとする課題】
【０００７】
図１０に示した嵌合保持部Ｋ１の形状を、樹脂の射出成型で形成する場合、特に係止枠１０を有するケース２側は、嵌合凸溝１２の突出方向である紙面の上方向と、ケース壁面と直交する外方（図１０（ａ）中に白抜き矢印で示す）とに成形型を抜く必要がある。しかしながら、ケース形状によってはこの型抜きが成立せず、とはいえ嵌合保持のためのスペースがあまり取れない場合は、図２に示すような嵌合保持部Ｋ２を採用する場合がある。
【０００８】
図２は、本発明の一実施形態における係止部Ｋ２の構造を示す部分斜視図であり、（ａ）は嵌合前、（ｂ）は嵌合後である。また図９は、従来の係止部Ｋ２の中央を縦に切った部分断面図である。この係止部Ｋ２ではケース２側の成形において、紙面の上方向への型抜きが取れないため、図２（ａ）中に白抜き矢印で示すように、係止枠１０の部分はケース内方へ成形型を抜いて形成したものである。
【０００９】
このため図２に示すように、係止枠１０の幅範囲は嵌合凸溝１２との間に肉が詰まった形状となるため、図９に示すように、係止枠１０の幅範囲だけは部分的に嵌合凹凸溝１２、１３の内側略半分だけ嵌り合った半嵌合となってしまう。そして、図９に示すように、嵌合凹凸溝１２、１３内の隙間を伝う風が嵌合凹溝壁の途切れた半嵌合部位から集中してケース外部へ洩れ出してしまうという問題点がある。
【００１０】
従来は、この風洩れに対しケースインシュレーターなどの別部品によるシール構造を構成するか、半嵌合部分の型チューニング（寸法調整）などの対策が成されるが、コスト面やチューニングのトライ＆エラーによるトライ数の増大や調整期間増大などのデメリットがあるうえ、ケース嵌合がしづらくなるという問題点がある。本発明は、上記従来の問題点に鑑みて成されたものであり、その目的は、半嵌合部位での風洩れを防ぐことのできるケースの嵌合保持部構造を提供することにある。
【課題を解決するための手段】
【００１１】
本発明は上記目的を達成するために、請求項１ないし請求項６に記載の技術的手段を採用する。すなわち、請求項１に記載の発明では、第１の開口端周縁に形成された第１結合端面（１ａ）と、第１の開口端周縁に形成され嵌合凹凸溝（１２、１３）を構成する凹部または凸部の一方とを有して樹脂にて形成された第１の分割箱体（１）と、
第１結合端面（１ａ）に対応して第２の開口端周縁に形成された第２結合端面（２ａ）と、第２の開口端周縁に形成され嵌合凹凸溝（１２、１３）を構成する凹部または凸部の他方とを有して樹脂にて形成された第２の分割箱体（２）とからなるケースであり、
第１の分割箱体（１）の開口端の外周縁に設けられた係止突起（２０）と、第２の分割箱体（２）の開口端の外周縁に設けられ係止突起（２０）と係止可能な係止枠（１０）とからなるケースの嵌合保持部（Ｋ２）において、
第１、第２の分割箱体（１、２）の第１、第２結合端面（１ａ、２ａ）同士が接合しても嵌合凹凸溝（１２、１３）の内側略半分だけ嵌り合って半嵌合となる範囲は、その半嵌合部と、係止枠（１０）と係止突起（２０）とからなる係止部との間にシール凸部（１４）を形成したことを特徴としている。
【００１２】
この請求項１に記載の発明によれば、嵌合凹凸溝（１２、１３）内の隙間を伝う風が嵌合凹溝壁の途切れた半嵌合部位から洩れ出す風洩れを、半嵌合部と係止部との間に設けたシール凸部（１４）でシールさせることによって防ぐことができる。
【００１３】
また、本発明では容易にシール形状を見出すことができるため、複雑な嵌合形状をチューニングすることによるトライ＆エラーでのトライ数の増大や調整期間の増大をなくすことができるうえ、ケースインシュレーターなどの別部品によるシール構造を構成する必要もなく、コストを抑えることができる。また、本発明においては半嵌合部と係止部との間にシール凸部（１４）を設けるため、ケース嵌合や係止部の係止がしづらくなるという問題点もない。
【００１４】
また、請求項２に記載の発明では、請求項１に記載のケースの嵌合保持部構造において、第１、第２の分割箱体（１、２）の内外方向で係止枠部（１０）と係止突起部（２０）とが対向する壁部間に、シール凸部（１４）としての膨出部（１４ａ、１４ｂ）を形成したことを特徴としている。この請求項２に記載の発明によれば、ケース壁面と直交する方向で面シール構造を持たせることができる。
【００１５】
また、請求項３に記載の発明では、請求項１に記載のケースの嵌合保持部構造において、第１、第２の分割箱体（１、２）が嵌合された際に膨出部（１４ａ、１４ｂ）と他方の第１、第２の分割箱体（１、２）とが当接する部分に面取り部（Ｃ）を設けたことを特徴としている。この請求項３に記載の発明によれば、第１、第２の分割箱体（１、２）の嵌合方向に対して面取り部（Ｃ）を設けることで嵌合組み付け性を悪化させることがない。
【００１６】
また、請求項４に記載の発明では、請求項１に記載のケースの嵌合保持部構造において、第１、第２の分割箱体（１、２）の内外方向で係止枠部（１０）と係止突起部（２０）とが対向する壁部間に、嵌合凹凸溝（１２、１３）と略平行にシール凸部（１４）としてのシールリブ（１４ｃ、１４ｄ）を形成したことを特徴としている。この請求項４に記載の発明によれば、ケース壁面と直交する方向で線シール構造を持たせることができる。
【００１７】
また、請求項５に記載の発明では、請求項１に記載のケースの嵌合保持部構造において、半嵌合部と係止部との間で第１、第２の分割箱体（１、２）の嵌合方向で対向する壁部間に、嵌合凹凸溝（１２、１３）と略平行にシール凸部（１４）としての膨出部（１４ｅ）を形成したことを特徴としている。この請求項５に記載の発明によれば、嵌合凹凸溝（１２、１３）の嵌合方向で面シール構造を持たせることができる。
【００１８】
また、請求項６に記載の発明では、請求項１に記載のケースの嵌合保持部構造において、半嵌合部と係止部との間で第１、第２の分割箱体（１、２）の嵌合方向で対向する壁部間に、嵌合凹凸溝（１２、１３）と略平行にシール凸部（１４）としてのシールリブ（１４ｆ）を形成したことを特徴としている。この請求項６に記載の発明によれば、嵌合凹凸溝（１２、１３）の嵌合方向で線シール構造を持たせることができる。
【００１９】
なお、特許請求の範囲および上記各手段に記載の括弧内の符号は、後述する実施形態に記載の具体的手段との対応関係を示す一例である。
【発明を実施するための最良の形態】
【００２０】
（第１実施形態）
以下、本発明の第１形態について添付した図１ないし図４を用いて詳細に説明する。図１は、本発明の一実施形態に係るケース１・２の全体構造を示す斜視図である。また図２は、本発明の一実施形態における嵌合保持部としての係止部Ｋ２の構造を示す部分斜視図であり、（ａ）は嵌合前、（ｂ）は嵌合後である。また図３は、本発明の第１実施形態における係止部Ｋ２の中央を縦に切った部分断面図であり、図４は、第１実施形態の変形例における係止部Ｋ２の中央を縦に切った部分断面図である。
【００２１】
まず、ケースの概略構造を、図１を用いて説明する。図1において１と２は、車両用空調装置（クーラーユニット）の空調用通風路を形成する上下ケースであり、本発明で言う分割箱体である。図１の例では、図中横に走る分割面で上下に上ケース１と下ケース２とに分割されている。そして、それぞれの上下ケース１、２は、ポリプロピレンのような弾性を有する樹脂で略Ｕ字形状に成形されている。
【００２２】
そして、そのＵ字形状の両端部分が相互の第１、第２結合端面１ａ、２ａ（図２〜図４参照）として形成されており、その第１、第２結合端面１ａ、２ａの外方に複数の図示しないクリップ留め部を含む締結部や係止部Ｋ１、Ｋ２などが一体に形成されている。これらの締結部や係止部は、全てケースの嵌合保持部である。
【００２３】
図１中の係止部Ｋ１は、図１０に詳細を示すように、下ケース２に設けられて上ケース１側に向かって延長する係止枠１０に対して、上ケース１に突設された係止突起２０が入り込むことによって嵌合状態を保持する嵌合保持部である。また、図１中の係止部Ｋ２も、図２に詳細を示すように、下ケース２に設けられて上ケース１側に向かって延長する係止枠１０に対して、上ケース１に突設された係止突起２０が入り込むことによって嵌合状態を保持する嵌合保持部である。なお、詳細は後述する。
【００２４】
そして、上下ケース１、２の内部に空気冷却用のエバポレータ（熱交換器）３０などの空調用機器を収容した後、上記したいずれかの締結部や係止部で上下ケース１、２は一体に結合されて保持される。この分割箱体からなる上下ケース１、２の図１左右両端には、通風路接続用の開口部（図1では右側の開口部のみ図示）が設けられており、この開口部にはシール用のパッキン３１が貼着されている。図1の図示しない左側開口部は、図示しない送風機ユニットに接続され、図１の右側開口部は図示しないヒーターユニットに接続される。
【００２５】
次に、図２、図３を用いて、本発明の要部である係止部Ｋ２について詳細に説明する。第１、第２結合端面１ａ、２ａには、その全域にわたって嵌合凹凸溝１２、１３が形成されている。本実施形態では、第１結合端面１ａ側に嵌合凹溝１３が形成され、結合端面２ａ側に嵌合凸溝１２が一体成形されている。更に下ケース２には、結合端面２ａから上ケース１側へ突出した係止枠１０が形成され、その係止枠１０に対応して上ケース１には、第１結合端面１ａから係止枠１０を係止する係止突起２０がケース外方へ突出して形成されている。
【００２６】
本係止部Ｋ２では下ケース２側の成形において、紙面の上方向への型抜きが取れないため、図２（ａ）中に白抜き矢印で示すように、係止枠１０の部分はケース内方へ成形型を抜いて形成したものである。このため図２に示すように、係止枠１０の幅範囲は嵌合凸溝１２との間に肉が詰まった形状となるため、図３に示すように、係止枠１０の幅範囲だけは部分的に嵌合凹凸溝１２、１３の内側略半分だけ嵌り合った半嵌合となってしまう。
【００２７】
なお、このままでは図９で示したように、嵌合凹凸溝１２、１３内の隙間を伝う風が嵌合凹溝壁の途切れた半嵌合部位から集中してケース外部へ洩れ出してしまうため、この半嵌合となる範囲は、その半嵌合部と、係止枠１０と係止突起２０とからなる係止部との間にシール凸部１４を形成している。より具体的には、上下ケース１、２の内外方向で係止枠部１０と係止突起部２０とが対向する壁部間、本実施形態では係止枠１０の根元部の内壁にシール凸部１４としての膨出部１４ａを形成している。
【００２８】
そして、上下ケース１、２を嵌合させた時に、この膨出部１４ａが上ケース１の係止突起２０下方の壁部と密着することで面シールが成されて風洩れを防止するようになっている。なお、膨出部１４ａの紙面上端側には面取り部Ｃを形成しているため、嵌合時に上ケース１の係止突起２０下方の角と膨出部１４ａとで担ぎが発生して組み付け性が悪くなることはない。
【００２９】
なお図４は、第１実施形態の変形例における係止部Ｋ２の中央を縦に切った部分断面図である。本変形例はシール凸部１４としての膨出部１４ｂを、上ケース１側の係止突起２０下方の壁部に形成したものである。このため上記した面取り部Ｃも係止突起２０下方の角部に設けている。このように、係止枠部１０と係止突起部２０とが対向する壁部間であれば膨出部１４も面取り部Ｃもいずれの側に形成しても良いし、勿論両側に形成しても良い。
【００３０】
次に、本実施形態での特徴と、その効果について述べる。まず上下ケース１、２の第１、第２結合端面１ａ、２ａ同士が接合しても嵌合凹凸溝１２、１３の内側略半分だけ嵌り合って半嵌合となる範囲は、その半嵌合部と、係止枠１０と係止突起２０とからなる係止部との間にシール凸部１４を形成している。これによれば、嵌合凹凸溝１２、１３内の隙間を伝う風が嵌合凹溝壁の途切れた半嵌合部位から洩れ出す風洩れを、半嵌合部と係止部との間に設けたシール凸部１４でシールさせることによって防ぐことができる。
【００３１】
また、本対策では容易にシール形状を見出すことができるため、複雑な嵌合形状をチューニングすることによるトライ＆エラーでのトライ数の増大や調整期間の増大をなくすことができるうえ、ケースインシュレーターなどの別部品によるシール構造を構成する必要もなく、コストを抑えることができる。また、本発明においては半嵌合部と係止部との間にシール凸部１４を設けるため、ケース嵌合や係止部の係止がしづらくなるという問題点もない。
【００３２】
また、上下ケース１、２の内外方向で係止枠部１０と係止突起部２０とが対向する壁部間に、シール凸部１４としての膨出部１４ａ、１４ｂを形成している。これによれば、ケース壁面と直交する方向で面シール構造を持たせることができる。また、上下ケース１、２が嵌合された際に膨出部１４ａ、１４ｂと他方のケース１、２とが当接する部分に面取り部Ｃを設けている。これによれば、上下ケース１、２の嵌合方向に対して面取り部Ｃを設けることで嵌合組み付け性を悪化させることがない。
【００３３】
（第２実施形態）
図５は、本発明の第２実施形態における係止部Ｋ２の中央を縦に切った部分断面図である。上述した第１実施形態と異なる特徴部分を説明すると、上下ケース１、２の内外方向で係止枠部１０と係止突起部２０とが対向する壁部間、本実施形態では係止枠１０の根元部の内壁に、嵌合凹凸溝１２、１３と略平行にシール凸部１４としてのシールリブ１４ｃを形成している。
【００３４】
また、図６は、第２実施形態の変形例における係止部Ｋ２の中央を縦に切った部分断面図である。本変形例はシール凸部１４としてのシールリブ１４ｄを、上ケース１側の係止突起２０下方の壁部に形成したものである。なお、図５、図６ではシールリブ１４ｃ、１４ｄを三角リブとしているが、これに限るものではなく、例えば断面が半円形のリブであっても良い。これによれば、ケース壁面と直交する方向で線シール構造を持たせることができる。
【００３５】
（第３実施形態）
図７は、本発明の第３実施形態における係止部Ｋ２の中央を縦に切った部分断面図である。上述した各実施形態と異なる特徴部分を説明すると、半嵌合部と係止部との間で上下ケース１、２の嵌合方向で対向する壁部間、本実施形態では嵌合凸溝１２の先端部との同一面と嵌合凹溝１３の底部との同一面とに、嵌合凹凸溝１２、１３と略平行にシール凸部１４としての膨出部１４ｅを形成している。
【００３６】
より具体的に、本実施形態では係止枠１０の根元部に略三角形の膨出部１４ｅを形成し、この三角の斜面に上ケース１の係止突起２０下方の角部を当接させることでシールを図っている。なお、図７では膨出部１４ｅを略三角形としているが、これに限るものではなく、例えば矩形として、互いの角部が僅かにラップして角部同士が当接する構造としても良い。これによれば、嵌合凹凸溝１２、１３の嵌合方向で面シール構造を持たせることができる。
【００３７】
（第４実施形態）
図８は、本発明の第４実施形態における係止部Ｋ２の中央を縦に切った部分断面図である。上述した各実施形態と異なる特徴部分を説明すると、半嵌合部と係止部との間で上下ケース１、２の嵌合方向で対向する壁部間、本実施形態では嵌合凸溝１２の先端部との同一面と嵌合凹溝１３の底部との同一面とに、嵌合凹凸溝１２、１３と略平行にシール凸部１４としてのシールリブ１４ｆを形成している。
【００３８】
より具体的に、本実施形態では係止突起２０下方部に略三角形のシールリブ１４ｆを形成し、このシールリブ先端を下ケース２の嵌合凸溝１２の先端部との同一面に当接させることでシールを図っている。なお、図８ではシールリブ１４ｆを三角リブとしているが、これに限るものではなく、例えば断面が半円形のリブであっても良い。これによっても、嵌合凹凸溝１２、１３の嵌合方向で線シール構造を持たせることができる。
【００３９】
（その他の実施形態）
上述の実施形態では、上ケース１に嵌合凹溝１３と係止突起２０とを設け、下ケース２に嵌合凸溝１２と係止枠1０とを設けているが、本発明は上述した実施形態に限定されるものではなく、本発明は嵌合凹凸溝１２、１３の上下方向や、係止枠1０と係止突起２０とによる係止部の上下方向には関連はなく、例えば、上ケース１に嵌合凸溝１２、下ケース２に嵌合凹溝１３を設けても良いし、上ケース１に係止枠1０、下ケース２に係止突起２０を設けても良い。
【００４０】
また、本発明は車両用空調装置のケースに限るものではなく、分割されたケース同士を結合して用いるものに適用しても良い。なお、図１の実施形態では、嵌合保持部として図１０に示す係止部Ｋ１、および図２に示す係止部Ｋ２を用いているが、図示しないタッピングスクリュやクリップを用いるものや、係止枠内に係止突起を挿入する係止部構造であっても良いし、これら以外の嵌合保持部であっても良い。
【図面の簡単な説明】
【００４１】
【図１】本発明の一実施形態に係るケース１・２の全体構造を示す斜視図である。
【図２】本発明の一実施形態における嵌合保持部としての係止部Ｋ２の構造を示す部分斜視図であり、（ａ）は嵌合前、（ｂ）は嵌合後である。
【図３】本発明の第１実施形態における係止部Ｋ２の中央を縦に切った部分断面図である。
【図４】第１実施形態の変形例における係止部Ｋ２の中央を縦に切った部分断面図である。
【図５】本発明の第２実施形態における係止部Ｋ２の中央を縦に切った部分断面図である。
【図６】第２実施形態の変形例における係止部Ｋ２の中央を縦に切った部分断面図である。
【図７】本発明の第３実施形態における係止部Ｋ２の中央を縦に切った部分断面図である。
【図８】本発明の第４実施形態における係止部Ｋ２の中央を縦に切った部分断面図である。
【図９】従来の係止部Ｋ２の中央を縦に切った部分断面図である。
【図１０】嵌合保持部として通常の係止部Ｋ１の構造を示す部分斜視図であり、（ａ）は嵌合前、（ｂ）は嵌合後である。
【符号の説明】
【００４２】
１…上ケース（第１の分割箱体）
１ａ…第１結合端面
２…下ケース（第２の分割箱体）
２ａ…第２結合端面
１０…係止枠
１２…嵌合凸溝（嵌合凹凸溝）
１３…嵌合凹溝（嵌合凹凸溝）
１４…シール凸部
１４ａ、１４ｂ、１４ｅ…膨出部
１４ｃ、１４ｄ、１４ｆ…シールリブ
２０…係止突起
Ｃ…面取り部
Ｋ２…係止部（嵌合保持部）
【図１】
2008024231.tif 000003
【図２】
2008024231.tif 000004
【図３】
2008024231.tif 000005
【図４】
2008024231.tif 000006
【図５】
2008024231.tif 000007
【図６】
2008024231.tif 000008
【図７】
2008024231.tif 000009
【図８】
2008024231.tif 000010
【図９】
2008024231.tif 000011
【図１０】
2008024231.tif 000012